(57)【要約】【課題】電力設備の周辺にいる作業者の安全を確保した上で、電力設備を制御することのできる制御装置を提供する。【解決手段】需要家に設置された電力設備の運転開始前に、電力設備に対して、電力設備の運転の可能性および電力設備の運転目的のうちの少なくとも一方を示す情報を通知する通知部を備える。【選択図】図１
2018014777.tif 000002
【特許請求の範囲】
【請求項１】
需要家に設置された電力設備の運転開始前に、前記電力設備に対して、前記電力設備の運転の可能性および前記電力設備の運転目的のうちの少なくとも一方を示す情報を通知する通知部
を備える制御装置。
【請求項２】
さらに、前記電力設備の運転計画を取得する運転計画取得部を備え、
前記通知部は、前記運転計画取得部が取得した前記運転計画に基づく前記電力設備の運転開始前に、前記電力設備に対して、前記運転の可能性を示す情報として、前記運転計画を通知する
請求項１に記載の制御装置。
【請求項３】
さらに、前記電力設備の運転計画を取得する運転計画取得部を備え、
前記通知部は、前記運転計画取得部が取得した前記運転計画に基づく前記電力設備の運転開始前に、前記電力設備に対して、前記運転の可能性を示す情報として、前記電力設備の運転開始までの時間を通知する
請求項１に記載の制御装置。
【請求項４】
さらに、前記電力設備の運転目的を取得する運転計画取得部を備え、
前記通知部は、前記電力設備の運転開始前に、前記電力設備に対して、前記運転計画取得部が取得した前記運転目的を通知する
請求項１に記載の制御装置。
【請求項５】
さらに、前記電力設備の運転計画および運転目的の少なくとも一方を取得する運転計画取得部と、
前記運転計画取得部が取得した前記運転計画および前記運転目的の少なくとも一方に基づいて、前記電力設備の運転開始時刻または前記運転目的が変更されたか否かを判断する変更判断部とを備え、
前記通知部は、前記変更判断部によって前記運転開始時刻または前記運転目的が変更されたと判断された場合に、前記電力設備に対して、変更後の前記運転計画または前記運転目的を通知する
請求項１に記載の制御装置。
【請求項６】
前記通知部は、さらに、前記電力設備の運転開始時刻が所定の設定時間内にあれば、前記電力設備または前記電力設備の周囲に警報を発する
請求項３〜請求項５のいずれか１項に記載の制御装置。
【請求項７】
さらに、前記電力設備の運転計画を取得する運転計画取得部と、
前記運転計画取得部が取得した前記運転計画に従わずに前記電力設備が運転する可能性の度合いを示す運転可能性レベルを決定する運転可能性レベル決定部とを備え、
前記通知部は、前記運転の可能性を示す情報として、前記運転可能性レベル決定部が決定した前記運転可能性レベルを前記電力設備に通知する
請求項１に記載の制御装置。
【請求項８】
前記通知部は、さらに、前記運転可能性レベルに応じた警報を、前記電力設備または前記電力設備の周囲に発する
請求項７に記載の制御装置。
【請求項９】
前記運転可能性レベル決定部は、前記需要家の目標電力および受電電力に基づいて、前記運転可能性レベルを決定する
請求項７または請求項８に記載の制御装置。
【請求項１０】
自設備の運転開始前に、制御装置から、自設備の運転の可能性および前記電力設備の運転目的のうちの少なくとも一方を示す情報を取得する取得部と、
前記取得部が取得した前記情報を表示画面に表示させる表示制御部と
を備える電力設備。
【請求項１１】
前記取得部は、前記制御装置から、前記運転の可能性を示す情報として、自設備の運転計画を取得し、
前記表示制御部は、前記取得部が取得した前記運転計画を前記表示画面に表示させる
請求項１０に記載の電力設備。
【請求項１２】
前記取得部は、前記制御装置から、前記運転の可能性を示す情報として、自設備の運転開始までの時間を取得し、
前記表示制御部は、前記取得部が取得した前記自設備の運転開始までの時間を前記表示画面に表示させる
請求項１０または請求項１１に記載の電力設備。
【請求項１３】
前記取得部は、前記制御装置から、自設備の運転目的を取得し、
前記表示制御部は、前記取得部が取得した前記運転目的を前記表示画面に表示させる
請求項１０〜請求項１２のいずれか１項に記載の電力設備。
【請求項１４】
前記取得部は、前記制御装置から、前記運転の可能性を示す情報として、自設備の運転計画に従わずに自設備が運転する可能性の度合いを示す運転可能性レベルを取得し、
前記表示制御部は、前記取得部が取得した前記運転可能性レベルを前記表示画面に表示させる
請求項１０〜請求項１３のいずれか１項に記載の電力設備。
【請求項１５】
需要家に設置された電力設備と、
当該電力設備に接続された制御装置とを備え、
前記制御装置は、
前記電力設備の運転開始前に、前記電力設備に対して、前記電力設備の運転の可能性および前記電力設備の運転目的のうちの少なくとも一方を示す情報を通知する通知部を有し、
前記電力設備は、
自装置の運転開始前に、前記制御装置から、自設備の運転の可能性および前記電力設備の運転目的のうちの少なくとも一方を示す情報を取得する取得部と、
前記取得部が取得した前記情報を表示画面に表示させる表示制御部とを有する
電力システム。
【請求項１６】
需要家に設置された電力設備の運転開始前に、前記電力設備に対して、前記電力設備の運転の可能性および前記電力設備の運転目的のうちの少なくとも一方を示す情報を通知するステップ
を含む制御装置による電力設備制御方法。
【請求項１７】
電力設備の運転開始前に、制御装置から、前記電力設備の運転の可能性および前記電力設備の運転目的のうちの少なくとも一方を示す情報を取得するステップと、
取得した前記情報を表示画面に表示させるステップと
を含む電力設備による運転可能性表示方法。
【請求項１８】
需要家に設置された電力設備の運転開始前に、前記電力設備に対して、前記電力設備の運転の可能性および前記電力設備の運転目的のうちの少なくとも一方を示す情報を通知する通知部と
してコンピュータを機能させるための制御プログラム。
【請求項１９】
電力設備の運転開始前に、制御装置から、前記電力設備の運転の可能性および前記電力設備の運転目的のうちの少なくとも一方を示す情報を取得する取得部と、
前記取得部が取得した前記情報を表示画面に表示させる表示制御部と
してコンピュータを機能させるための制御プログラム。
【発明の詳細な説明】
【技術分野】
【０００１】
本発明は、制御装置、電力設備、電力システム、制御装置による電力設備制御方法、電力設備による運転可能性表示方法および制御プログラムに関する。
【背景技術】
【０００２】
近年、消費電力削減を目的としたデマンドレスポンス（ＤＲ）やピークカットに対応するために、需要家の有する発電機や蓄電池などの電力設備（以下、「設備」とも言う。）を利用することに注目が集まっている。このような目的を実現するための手段の一つとしてＥＭＳ（Energy Management System）による電力設備の自動制御が挙げられる（例えば、特許文献１参照）。
【先行技術文献】
【特許文献】
【０００３】
【特許文献１】特開２０１４−１４３８３５号公報
【発明の概要】
【発明が解決しようとする課題】
【０００４】
しかし、ＥＭＳにより発電機や蓄電池等の電力設備を自動制御する場合、当該電力設備周辺にいる作業者が、電力設備の詳細な稼働目的やいつ動き出すのかを把握できないなど安全面で課題がある。
【０００５】
本発明は、上述の課題を解決するためになされたものであり、電力設備の周辺にいる作業者の安全を確保した上で、電力設備を制御することのできる制御装置、電力システム、制御装置による電力設備制御方法および制御プログラムを提供することを目的とする。
【０００６】
また、周辺にいる作業者の安全を確保した上で運転することのできる電力設備、電力設備による運転可能性表示方法および制御プログラムを提供することも目的とする。
【課題を解決するための手段】
【０００７】
（１）上記目的を達成するために、本発明の一実施態様に係る制御装置は、需要家に設置された電力設備の運転開始前に、前記電力設備に対して、前記電力設備の運転の可能性および前記電力設備の運転目的のうちの少なくとも一方を示す情報を通知する通知部を備える。
【０００８】
（１０）本発明の他の実施態様に係る電力設備は、自設備の運転開始前に、制御装置から、自設備の運転の可能性および前記電力設備の運転目的のうちの少なくとも一方を示す情報を取得する取得部と、前記取得部が取得した前記情報を表示画面に表示させる表示制御部とを備える。
【０００９】
（１５）本発明の他の実施態様に係る電力システムは、需要家に設置された電力設備と、当該電力設備に接続された制御装置とを備え、前記制御装置は、前記電力設備の運転開始前に、前記電力設備に対して、前記電力設備の運転の可能性および前記電力設備の運転目的のうちの少なくとも一方を示す情報を通知する通知部を有し、前記電力設備は、自装置の運転開始前に、前記制御装置から、自設備の運転の可能性および前記電力設備の運転目的のうちの少なくとも一方を示す情報を取得する取得部と、前記取得部が取得した前記情報を表示画面に表示させる表示制御部とを有する。
【００１０】
（１６）本発明の他の実施態様に係る制御装置による電力設備制御方法は、需要家に設置された電力設備の運転開始前に、前記電力設備に対して、前記電力設備の運転の可能性および前記電力設備の運転目的のうちの少なくとも一方を示す情報を通知するステップを含む。
【００１１】
（１７）本発明の他の実施態様に係る電力設備による運転可能性表示方法は、電力設備の運転開始前に、制御装置から、前記電力設備の運転の可能性および前記電力設備の運転目的のうちの少なくとも一方を示す情報を取得するステップと、取得した前記情報を表示画面に表示させるステップとを含む。
【００１２】
（１８）本発明の他の実施態様に係る制御プログラムは、需要家に設置された電力設備の運転開始前に、前記電力設備に対して、前記電力設備の運転の可能性および前記電力設備の運転目的のうちの少なくとも一方を示す情報を通知する通知部としてコンピュータを機能させる。
【００１３】
（１９）本発明の他の実施態様に係る制御プログラムは、電力設備の運転開始前に、制御装置から、前記電力設備の運転の可能性および前記電力設備の運転目的のうちの少なくとも一方を示す情報を取得する取得部と、前記取得部が取得した前記情報を表示画面に表示させる表示制御部としてコンピュータを機能させる。
【００１４】
なお、本発明は、制御装置または電力設備の一部又は全部を実現する半導体集積回路として実現することもできる。
【発明の効果】
【００１５】
本発明によると、電力設備の周辺にいる作業者の安全を確保した上で、電力設備の制御および運転を行うことができる。
【図面の簡単な説明】
【００１６】
【図１】本発明の実施の形態に係る電力システムの機能的構成の一例を示すブロック図である。
【図２】電力設備としての蓄電池および発電機の主要な機能的構成を示すブロック図である。
【図３】運転計画通知機能において、制御装置が実行する処理の流れを示すフローチャートである。
【図４】表示画面の表示例を示す図である。
【図５】運転事前通知機能において、制御装置が実行する処理の流れを示すフローチャートである。
【図６】表示画面の表示例を示す図である。
【図７】運転計画変更通知機能において、制御装置が実行する処理の流れを示すフローチャートである。
【図８】表示画面の表示例を示す図である。
【図９】運転可能性レベル通知機能において、制御装置が実行する処理の流れを示すフローチャートである。
【図１０】運転可能性レベルの決定処理の一例について説明するための図である。
【図１１】通知部から電力設備への情報の通知タイミングを説明するための図である。
【発明を実施するための形態】
【００１７】
［本発明の基礎となった知見］
本発明者は、「背景技術」の欄において記載した、従来のシステムに関し、以下の知見を見出した。
【００１８】
発電機や蓄電池などの分散電源に代表される電力設備は、ローカル制御またはリモート制御により運転する。ローカル制御とは、電力設備が有する運転モードに従った制御、または手動による制御のことである。リモート制御とは、遠隔に設置されたＥＭＳからの指令に基づく制御のことである。
【００１９】
従来、電力設備がローカル制御により運転する際には、電力設備に設置された表示パネルに、どういった運転モードで運転しているのかが表示される。例えば、表示パネルには、電力設備の運転モードとして、スケジュール運転モードおよび受電一定運転モードのいずれかのモードが表示される。スケジュール運転モードとは、予め定められたスケジュールに従って電力設備が運転するモードのことであり、受電一定運転モードとは、受電電力が一定となるように電力設備が運転するモードのことである。また、表示パネルには、電力設備がローカル制御およびリモート制御のいずれで制御されているのかも同時に表示される。
【００２０】
ローカル制御においては、作業者が電力設備の運転モードを直接選択したり、電力設備を手動で運転させたりしている。このため、作業者は、電力設備が稼働する際に、電力設備の周辺に十分に注意を払うことができる。
【００２１】
しかし、リモート制御においては、ＥＭＳから電力設備に対して、電力設備がいつから動き出すのかについての通知が無い。よって、電力設備の周辺にいる作業員は、電力設備がいつ動き出すのかを事前に判断することができない。このため、作業者が電力設備の保守点検作業を行っている最中に、電力設備が動き出すと、電力設備に大電流が流れたり、電力設備が備える構造体が動き出したりして、作業者が危険にさらされる問題がある。このため、電力設備の運転時には、作業者を電力設備に近づけないようにしなければならない。
【００２２】
また、リモート制御においては、ＥＭＳから電力設備に対して、電力設備の運転目的についての通知が無い。このため、電力設備の表示パネルには、運転目的が表示されない。運転目的には、例えば、ピークカットや、デマンドレスポンスなどがある。運転目的が表示されないことより、作業者は、ＥＭＳが意図したとおりに電力設備が稼働しているか否かを知ることができない。このため、ＥＭＳの意図通りに電力設備が稼働していない場合であっても、作業者は電力設備を停止させたり、電力設備から離れるなどの措置を取ることができない。
【００２３】
本開示では、電力設備の周辺にいる作業者の安全を確保した上で、電力設備の制御および運転を行うことのできる態様について説明する。
最初に本発明の実施態様を列記して説明する。
【００２４】
（１）本発明の一実施態様に係る制御装置は、需要家に設置された電力設備の運転開始前に、前記電力設備に対して、前記電力設備の運転の可能性および前記電力設備の運転目的のうちの少なくとも一方を示す情報を通知する通知部を備える。
【００２５】
この構成によると、電力設備の運転を制御する制御装置から、電力設備の運転開始前に、電力設備に対して電力設備の運転の可能性または電力設備の運転目的が通知される。このため、電力設備は、通知された運転の可能性または運転目的を表示画面に表示させることができる。これにより、電力設備の周辺にいる作業者は、電力設備の運転の可能性または運転目的を、電力設備の運転開始前に知ることができ、電力設備から離れるなどの安全を確保するための措置を取ることができる。よって、電力設備の周辺にいる作業者の安全を確保した上で、電力設備を制御することができる。
【００２６】
（２）好ましくは、上述の制御装置は、さらに、前記電力設備の運転計画を取得する運転計画取得部を備え、前記通知部は、前記運転計画取得部が取得した前記運転計画に基づく前記電力設備の運転開始前に、前記電力設備に対して、前記運転の可能性を示す情報として、前記運転計画を通知する。
【００２７】
この構成によると、電力設備の運転開始前に、電力設備の運転計画が、電力設備に通知される。このため、電力設備は、通知された運転計画を表示画面に表示させることができる。これにより、作業者は、どのようなタイミングで電力設備が運転開始するのかを事前に知ることができ、電力設備の運転時には電力設備から離れるなどの安全を確保するための措置を取ることができる。
【００２８】
（３）好ましくは、上述の制御装置は、さらに、前記電力設備の運転計画を取得する運転計画取得部を備え、前記通知部は、前記運転計画取得部が取得した前記運転計画に基づく前記電力設備の運転開始前に、前記電力設備に対して、前記運転の可能性を示す情報として、前記電力設備の運転開始までの時間を通知する。
【００２９】
この構成によると、運転計画に基づく電力設備の運転開始前に、電力設備の運転開始までの時間が、電力設備に通知される。このため、電力設備は、電力設備の運転開始までの時間を表示画面に表示させることができる。これにより、作業者は、電力設備の運転開始までに、現在行っている作業を中断し、電力設備から離れるなどの安全を確保するための措置を取ることができる。
【００３０】
（４）好ましくは、上述の制御装置は、さらに、前記電力設備の運転目的を取得する運転計画取得部を備え、前記通知部は、前記電力設備の運転開始前に、前記電力設備に対して、前記運転計画取得部が取得した前記運転目的を通知する。
【００３１】
この構成によると、運転計画に基づく電力設備の運転開始前に、電力設備の運転目的が、電力設備に通知される。このため、電力設備は、電力設備の運転開始前に、電力設備の運転目的を表示させることができる。これにより、作業者は、どのような目的で電力設備が運転されるかを事前に知ることができる。
【００３２】
（５）好ましくは、上述の制御装置は、さらに、前記電力設備の運転計画および運転目的の少なくとも一方を取得する運転計画取得部と、前記運転計画取得部が取得した前記運転計画および前記運転目的の少なくとも一方に基づいて、前記電力設備の運転開始時刻または前記運転目的が変更されたか否かを判断する変更判断部とを備え、前記通知部は、前記変更判断部によって前記運転開始時刻または前記運転目的が変更されたと判断された場合に、前記電力設備に対して、変更後の前記運転計画または前記運転目的を通知する。
【００３３】
この構成によると、電力設備の運転開始時刻または運転目的が変更された場合に、電力設備に対して、変更後の運転計画または運転目的が通知される。このため、電力設備は、変更後の運転計画または運転目的を表示画面に表示させることができる。これにより、作業者は、変更後の運転計画または運転目的を知ることができる。よって、作業者は、安全を確保するための措置を適切に取ることができる。
【００３４】
（６）さらに好ましくは、前記通知部は、さらに、前記電力設備の運転開始時刻が所定の設定時間内にあれば、前記電力設備または前記電力設備の周囲に警報を発する。
【００３５】
この構成によると、所定の設定時間内に運転開始時刻が変更された場合に、警報を発することができる。このため、電力設備の周囲にいる作業者は、電力設備から離れるなどの安全を確保するための措置を取ることができる。
【００３６】
（７）好ましくは、上述の制御装置は、さらに、前記電力設備の運転計画を取得する運転計画取得部と、前記運転計画取得部が取得した前記運転計画に従わずに前記電力設備が運転する可能性の度合いを示す運転可能性レベルを決定する運転可能性レベル決定部とを備え、前記通知部は、前記運転の可能性を示す情報として、前記運転可能性レベル決定部が決定した前記運転可能性レベルを前記電力設備に通知する。
【００３７】
この構成によると、電力設備の運転可能性レベルが電力設備に通知される。このため、電力設備は、運転可能性レベルを表示画面に表示させることにより、電力設備の周囲にいる作業者に電力設備の運転の可能性の度合いを伝えることができる。これにより、電力設備の周辺にいる作業者は、電力設備の運転の可能性の度合いを知ることができ、度合いに応じて安全を確保するための措置を取ることができる。例えば、運転可能性レベルが高中低の３段階で示されている場合に、運転可能性レベルが低であれば、作業者は特に何もしないが、運転可能性レベルが中であれば、作業者は電力設備から避難する準備を行う。また、運転可能性レベルが高であれば、作業者は、即座に、電力設備から避難する。
【００３８】
（８）さらに好ましくは、前記通知部は、さらに、前記運転可能性レベルに応じた警報を、前記電力設備または前記電力設備の周囲に発する。
【００３９】
この構成によると、運転可能性レベルに応じた警報を発することができる。このため、電力設備の周囲にいる作業者は、電力設備が運転する可能性の度合いを警報の種類に応じて判断することができ、当該度合いに応じた適切な措置を取ることができる。
【００４０】
（９）さらに好ましくは、前記運転可能性レベル決定部は、前記需要家の目標電力および受電電力に基づいて、前記運転可能性レベルを決定する。
【００４１】
この構成によると、需要家の目標電力および受電電力に基づいて、運転可能性レベルを決定することができる。制御装置は、受電電力が目標電力を超えないように、電力設備を稼働させる。このため、例えば、受電電力から、受電電力が目標電力を超える可能性の度合いを運転可能性レベルとして決定することができる。これにより、電力設備の運転可能性レベルを決定することができる。
【００４２】
（１０）本発明の他の実施態様に係る電力設備は、自設備の運転開始前に、制御装置から、自設備の運転の可能性および前記電力設備の運転目的のうちの少なくとも一方を示す情報を取得する取得部と、前記情報を表示画面に表示させる表示制御部とを備える。
【００４３】
この構成によると、電力設備は、電力設備の運転開始前に、電力設備の運転の可能性または運転目的を表示画面に表示させることができる。これにより、電力設備の周辺にいる作業者は、電力設備の運転の可能性または運転目的を、電力設備の運転開始前に知ることができ、電力設備から離れるなどの安全を確保するための措置を取ることができる。よって、電力設備は、電力設備の周辺にいる作業者の安全を確保した上で運転することができる。
【００４４】
（１１）好ましくは、前記取得部は、前記制御装置から、前記運転の可能性を示す情報として、自設備の運転計画を取得し、前記表示制御部は、前記取得部が取得した前記運転計画を前記表示画面に表示させる。
【００４５】
この構成によると、電力設備は、電力設備の運転開始前に、電力設備の運転計画を表示画面に表示させることができる。これにより、作業者は、どのようなタイミングで電力設備が運転開始するのかを事前に知ることができ、電力設備の運転時には電力設備から離れるなどの安全を確保するための措置を取ることができる。
【００４６】
（１２）好ましくは、前記取得部は、前記制御装置から、前記運転の可能性を示す情報として、自設備の運転開始までの時間を取得し、前記表示制御部は、前記取得部が取得した前記自設備の運転開始までの時間を前記表示画面に表示させる。
【００４７】
この構成によると、電力設備は、電力設備の運転開始までの時間を表示画面に表示させることができる。これにより、作業者は、電力設備の運転開始までに、現在行っている作業を中断し、電力設備から離れるなどの安全を確保するための措置を取ることができる。
【００４８】
（１３）好ましくは、前記取得部は、前記制御装置から、自設備の運転目的を取得し、前記表示制御部は、前記取得部が取得した前記運転目的を前記表示画面に表示させる。
【００４９】
この構成によると、電力設備は、電力設備の運転開始前に、電力設備の運転目的を表示画面に表示させることができる。これにより、作業者は、どのような目的で電力設備が運転されるかを事前に知ることができ、運転目的に応じて電力設備から離れるなどの安全を確保するための措置を取ることができる。
【００５０】
（１４）好ましくは、前記取得部は、前記制御装置から、前記運転の可能性を示す情報として、自設備の運転計画に従わずに自設備が運転する可能性の度合いを示す運転可能性レベルを取得し、前記表示制御部は、前記取得部が取得した前記運転可能性レベルを前記表示画面に表示させる。
【００５１】
この構成によると、電力設備は、電力設備の運転可能性レベルを表示画面に表示させることにより、作業者に電力設備の運転の可能性の度合いを伝えることができる。これにより、電力設備の周辺にいる作業者は、電力設備の運転の可能性の度合いを知ることができ、度合いに応じて安全を確保するための措置を取ることができる。例えば、運転可能性レベルが高中低の３段階で示されている場合に、運転可能性レベルが低であれば、作業者は特に何もしないが、運転可能性レベルが中であれば、作業者は電力設備から避難する準備を行う。また、運転可能性レベルが高であれば、作業者は、即座に、電力設備から避難する。
【００５２】
（１５）本発明の他の実施態様に係る電力システムは、需要家に設置された電力設備と、当該電力設備に接続された制御装置とを備え、前記制御装置は、前記電力設備の運転開始前に、前記電力設備に対して、前記電力設備の運転の可能性および前記電力設備の運転目的のうちの少なくとも一方を示す情報を通知する通知部を有し、前記電力設備は、自装置の運転開始前に、前記制御装置から、自設備の運転の可能性および前記電力設備の運転目的のうちの少なくとも一方を示す情報を取得する取得部と、前記取得部が取得した前記情報を表示画面に表示させる表示制御部とを有する。
【００５３】
この構成によると、電力設備の運転を制御する制御装置から、電力設備の運転開始前に、電力設備に対して電力設備の運転の可能性または電力設備の運転目的が通知される。このため、電力設備は、通知された運転の可能性または電力設備の運転目的を表示画面に表示させることができる。これにより、電力設備の周辺にいる作業者は、電力設備の運転の可能性または電力設備の運転目的を、電力設備の運転開始前に知ることができ、電力設備から離れるなどの安全を確保するための措置を取ることができる。よって、電力設備の周辺にいる作業者の安全を確保した上で、電力設備を制御することができる。
【００５４】
（１６）本発明の他の実施態様に係る制御装置による電力設備制御方法は、需要家に設置された電力設備の運転開始前に、前記電力設備に対して、前記電力設備の運転の可能性および前記電力設備の運転目的のうちの少なくとも一方を示す情報を通知するステップを含む。
【００５５】
この制御方法は、上述の制御装置が備える処理部に対応するステップを含む。このため、この構成によると、上述の制御装置と同様の作用および効果を奏することができる。
【００５６】
（１７）本発明の他の実施態様に係る電力設備による運転可能性表示方法は、電力設備の運転開始前に、制御装置から、前記電力設備の運転の可能性および前記電力設備の運転目的のうちの少なくとも一方を示す情報を取得するステップと、取得した前記情報を表示画面に表示させるステップとを含む。
【００５７】
この制御方法は、上述の電力設備が備える処理部に対応するステップを含む。このため、この構成によると、上述の電力設備と同様の作用および効果を奏することができる。
【００５８】
（１８）本発明の他の実施態様に係る制御プログラムは、需要家に設置された電力設備の運転開始前に、前記電力設備に対して、前記電力設備の運転の可能性および前記電力設備の運転目的のうちの少なくとも一方を示す情報を通知する通知部としてコンピュータを機能させる。
【００５９】
この制御プログラムは、上述の制御装置が備える処理部としてコンピュータを機能させる。このため、この構成によると、上述の制御装置と同様の作用および効果を奏することができる。
【００６０】
（１９）本発明の他の実施態様に係る制御プログラムは、電力設備の運転開始前に、制御装置から、前記電力設備の運転の可能性および前記電力設備の運転目的のうちの少なくとも一方を示す情報を取得する取得部と、前記取得部が取得した前記情報を表示画面に表示させる表示制御部としてコンピュータを機能させる。
【００６１】
この制御プログラムは、上述の電力設備が備える処理部としてコンピュータを機能させる。このため、この構成によると、上述の電力設備と同様の作用および効果を奏することができる。
【００６２】
［本願発明の実施形態の詳細］
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置および接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００６３】
［１．システムの全体構成］
図１は、本発明の実施の形態に係る電力システムの機能的構成の一例を示すブロック図である。
【００６４】
電力システム１は、制御装置１０と、蓄電池２０と、発電機２２と、警報装置２４Ａおよび２４Ｂとを備える。
【００６５】
制御装置１０は、具体的には、ＥＭＳであり、需要家に設置された電力設備の動作を制御する。制御装置１０は、一般には、需要家の電力設備とは離れた場所に設置される。
【００６６】
蓄電池２０は、需要家に設置された電力設備の一例であり、レドックスフロー電池、リチウムイオン電池、溶融塩電池、鉛蓄電池などの二次電池を含む。
【００６７】
発電機２２は、需要家に設置された電力設備の一例であり、例えば、ガスやディーゼル油などの燃焼エネルギーまたは燃料電池などの、化学変化によるエネルギーを電気エネルギーに変換する発電機を含む。
【００６８】
警報装置２４Ａは、蓄電池２０の近くに設置され、例えば、光によって警報を発する回転警告灯やシグナルタワー、または音によって警報を発するサイレンなどを含む。警報装置２４Ａは、蓄電池２０に関する警報を発する。
【００６９】
警報装置２４Ｂは、発電機２２の近くに設置され、警報装置２４Ａと同様に、回転警告灯やシグナルタワー、またはサイレンなどを含み、発電機２２に関する警報を発する。
【００７０】
［２．制御装置１０の構成］
図１に示すように、制御装置１０は、発電予測部１１と、需要予測部１２と、データ収集部１３と、運転計画作成部１４と、運転計画記憶部１５と、運転制御部１６と、変更判断部１７と、運転可能性レベル決定部１８と、通知部１９とを備える。
【００７１】
発電予測部１１は、需要家に備えられた太陽光発電装置による発電実績や、気象情報などに基づいて、太陽光発電装置による発電量を予測する。なお、需要家に太陽光発電装置が設置されていない場合には、発電予測部１１は無くてもよい。
【００７２】
需要予測部１２は、需要家の過去および現在の電力需要実績などに基づいて、当該需要家の需要電力量を予測する。
【００７３】
データ収集部１３は、蓄電池２０および発電機２２から、蓄電池２０および発電機２２などの電力設備の現在状態（稼働および非稼働の別、電力設備の出力など）を収集する。
【００７４】
運転計画作成部１４は、電力設備の運転計画および運転目的を取得する運転計画取得部の一例であり、電力設備の運転目的に応じた電力設備の運転計画を作成する。運転目的には、例えば、ピークカットや、デマンドレスポンスなどがある。つまり、運転計画作成部１４は、これらの運転目的に応じ、発電予測部１１が予測した太陽光発電装置の予測発電量と、需要予測部１２が予測した予測需要電力量と、データ収集部１３が収集した電力設備（蓄電池２０および発電機２２）の現在状態とに基づいて、運転計画を作成する。例えば、運転計画作成部１４は、数理計画法を用いて、最適な運転計画を作成する。運転計画は、電力設備ごとに、運転開始時刻および運転終了時刻と、電力設備の出力などを示す。
【００７５】
なお、運転計画作成部１４は、一定周期で（例えば、１０分ごとに）、運転計画を作成し直す。なお、運転計画作成部１４は、外部のコンピュータから運転計画および運転目的を取得するようにしてもよい。
【００７６】
運転計画記憶部１５は、電力設備の運転目的と、運転計画作成部１４が作成した運転計画とを記憶する記憶装置であり、ＨＤＤ（Hard Disk Drive）などにより構成される。
【００７７】
運転制御部１６は、運転計画作成部１４が作成し、運転計画記憶部１５に記憶されている運転計画に基づいて、蓄電池２０および発電機２２の運転を制御する。例えば、１３：００〜１３：３０の間、発電機２２を運転させる運転計画が運転計画記憶部１５に記憶されているとする。この場合、運転制御部１６は、１３：００に発電機２２に対して、発電機２２に運転を開始させるための制御信号を送信し、１３：３０に発電機２２に対して、発電機２２の運転を終了させるための制御信号を送信する。つまり、運転制御部１６は、制御信号送信部として機能する。
【００７８】
変更判断部１７は、運転計画作成部１４が作成し、運転計画記憶部１５に記憶されている運転計画および運転目的に基づいて、電力設備ごとに、電力設備の運転開始時刻または運転目的が変更されたか否かを判断する。急なデマンドレスポンスに対応する場合などは、運転目的がピークシフトからデマンドレスポンスに変更される場合がある。
【００７９】
また、運転計画が、例えば１０分ごとに作成される場合には、変更判断部１７は、１０分ごとに変更判断を行う。
【００８０】
運転可能性レベル決定部１８は、運転計画記憶部１５に記憶されている運転計画に従わずに電力設備が運転する可能性の度合いを示す運転可能性レベルを決定する。例えば、運転可能性レベルは、「高」、「中」、「低」の３段階で示される。運転可能性レベルの決定方法については後述する。
【００８１】
通知部１９は、運転制御部１６による電力設備の運転開始前に、電力設備に対して、電力設備の運転の可能性および電力設備の運転目的のうちの少なくとも一方を示す情報を通知する。運転の可能性を示す情報には、運転計画、運転開始までの時間、または運転可能性レベルが含まれる。制御装置１０には、運転計画通知機能、運転事前通知機能、運転計画変更通知機能および運転可能性レベル通知機能と呼ばれる４つの機能が備えられている。通知部１９は、各機能に基づいて、電力設備に対して、電力設備の運転の可能性を示す情報および電力設備の運転目的のうちの少なくとも一方を示す情報を通知する。なお、通知部１９の機能は運転制御部１６に備えられていてもよい。以下、それぞれの機能について説明する。
【００８２】
（１）運転計画通知機能
通知部１９は、運転計画に基づく電力設備の運転開始前に、その電力設備に対して、運転計画および運転目的を通知する。具体的には、通知部１９は、予めユーザにより設定された指定時刻（例えば、８：００）に、運転計画および運転目的を通知する。電力設備は、通知された運転計画および運転目的を、電力設備の表示画面に表示する。なお、通知部１９は、運転計画を通知し、運転目的を通知しないようにしてもよい。
【００８３】
（２）運転事前通知機能
通知部１９は、運転計画に基づく電力設備の運転開始前に、その電力設備に対して、電力設備の運転開始までの時間を通知する。なお、時間の通知タイミングは、ユーザにより予め設定された設定時間に基づいて決定される。つまり、通知部１９は、運転開始までの時間が設定時間以内となったタイミングにおいて、電力設備に対して、運転開始までの時間を通知する。電力設備は、通知された運転開始までの時間を、電力設備の表示画面に表示する。
【００８４】
例えば、設定時間が３０分であり、蓄電池２０の運転開始時刻が１２：００である場合には、通知部１９は、１１：３０に、蓄電池２０に対して、運転開始までの時間として「３０分」を通知する。その後、通知部１９は、１２：００になるまで、運転開始までの時間を更新しながら、当該時間を蓄電池２０に通知する。なお、蓄電池２０に、運転開始までの時間を計測するタイマーが備えられている場合には、運転開始までの時間を１度通知した後の逐次の通知は不要である。
【００８５】
また、通知部１９は、電力設備の運転開始までの時間が設定時間以内となったタイミングにおいて、警報装置２４Ａまたは２４Ｂに対して、警報信号を送信する。警報信号に応答して、警報装置２４Ａまたは２４Ｂは、警報を発する。なお、通知部１９は、電力設備の運転が開始されるまでの間、警報信号を送信し続けるようにしてもよい。これにより、警報装置２４Ａまたは２４Ｂは、蓄電池２０または発電機２２の運転が開始されるまでの間、警報を発することができる。また、通知部１９は、電力設備の運転中も、警報信号を送信し続けるようにしてもよい。これにより、警報装置２４Ａまたは２４Ｂは、蓄電池２０または発電機２２の運転中も、警報を発することができる。
【００８６】
（３）運転計画変更通知機能
通知部１９は、変更判断部１７によって電力設備の運転開始時刻または運転目的が変更されたと判断された場合に、その電力設備に対して、変更後の運転計画または運転目的を通知する。電力設備は、通知された運転計画および運転目的を、電力設備の表示画面に表示する。
【００８７】
この時、通知部１９は、運転計画が変更されたことにより、運転設備の運転開始までの時間が設定時間以内となった場合には、警報装置２４Ａまたは２４Ｂに対して、警報信号を送信する。警報信号に応答して、警報装置２４Ａまたは２４Ｂは、警報を発する。
【００８８】
（４）運転可能性レベル通知機能
通知部１９は、運転可能性レベル決定部１８が決定した運転可能性レベルを電力設備に通知する。電力設備は、通知された運転可能性レベルを、電力設備の表示画面に表示する。
【００８９】
また、通知部１９は、運転可能性レベルを、警報装置２４Ａまたは２４Ｂに送信する。警報装置２４Ａまたは２４Ｂは、運転可能レベルを受信し、受信した運転可能レベルに応じた警報を発する。例えば、警報装置がシグナルタワーで構成されている場合には、警報装置２４Ａまたは２４Ｂは、運転可能レベルの「高」、「中」および「低」に対応して「赤」、「黄」および「緑」のシグナルをそれぞれ点灯または点滅させる。
【００９０】
［３．電力設備の構成］
図２は、電力設備としての蓄電池２０の主要な機能的構成を示すブロック図である。発電機２２の構成も同様である。なお、図２では、本実施の形態に関連する処理部のみを示しており、それ以外の構成については示していない。
【００９１】
蓄電池２０は、運転制御部２５と、取得部２６と、表示制御部２７と、表示画面２８とを備える。
【００９２】
運転制御部２５は、制御装置１０からの制御信号を受信し、受信した制御信号に基づいて、蓄電池２０の運転を制御する。つまり、制御装置１０の運転制御部１６から運転を開始させるための制御信号を受信した場合には、運転制御部２５は、当該制御信号に応答して、蓄電池２０の運転を開始させる。つまり、運転制御部２５は、蓄電池２０に充放電処理を実行させる。また、運転制御部２５は、運転制御部１６から運転を終了させるための制御信号を受信した場合には、当該制御信号に応答して、蓄電池２０の運転を終了させる。
【００９３】
また、運転制御部２５は、蓄電池２０の現在状態（稼働および非稼働の別、出力など）を、制御装置１０に送信する。
【００９４】
取得部２６は、蓄電池２０の運転開始前に、制御装置１０から、蓄電池２０の運転の可能性および蓄電池２０の運転目的のうちの少なくとも一方を示す情報を取得する。蓄電池２０の運転の可能性を示す情報とは、運転計画、運転開始までの時間または運転可能性レベルを含む。
【００９５】
表示制御部２７は、取得部２６が取得したこれらの情報を、表示画面２８に表示させる。
表示画面２８は、液晶ディスプレイなどにより構成される。
【００９６】
［４．制御装置１０の処理フロー］
次に、制御装置１０の処理の流れを示しながら、制御装置１０が実行する処理について具体的に説明する。以下では、上述した運転計画通知機能、運転事前通知機能、運転計画変更通知機能および運転可能性レベル通知機能の各機能において制御装置１０が実行する処理について説明する。
なお、制御装置１０上は、４つの機能の処理を並行して実行する。
【００９７】
（１）運転計画通知機能
図３は、運転計画通知機能において、制御装置１０が実行する処理の流れを示すフローチャートである。
【００９８】
通知部１９は、現在時刻が、予めユーザにより設定された指定時刻になるまで待機する（Ｓ１１）。
【００９９】
現在時刻が指定時刻になった場合には（Ｓ１１でＹＥＳ）、通知部１９は、運転計画作成部１４が作成し、運転計画記憶部１５に記憶されている運転計画および運転目的の情報を、蓄電池２０および発電機２２に送信することで通知する（Ｓ１２）。
【０１００】
例えば、指定時刻が８：００に設定されている場合には、通知部１９は、８：００になった時点で、運転計画および運転目的を、蓄電池２０および発電機２２に通知する。
【０１０１】
運転計画および運転目的の情報を受信した蓄電池２０および発電機２２は、それぞれ、表示画面２８に運転計画および運転目的を表示する制御を行う。
【０１０２】
図４は、表示画面２８の表示例を示す図である。図４に示すように、表示画面２８には、運転目的と、各電力設備の運転計画とが表示される。
【０１０３】
図４に示す表示例では、電力設備の運転目的はピークカットであることが示されている。また、運転計画のグラフが示されている。当該グラフの横軸は時間を示し、縦軸は電力を示す。各セグメントは１０分ごとの受電電力、蓄電池２０の放電量、および発電機２２の発電量の計画値を示している。この運転計画によると、たとえば、１４：００から１４：３０の間は、蓄電池２０および発電機２２を共に運転させずに、８０００ｋＷ前後の電力を受電するよう計画されている。また、１４：３０から１５：１０の間は、受電電力が７０００ｋＷ以下になるように、蓄電池２０および発電機２２の運転が計画されている。
【０１０４】
（２）運転事前通知機能
図５は、運転事前通知機能において、制御装置１０が実行する処理の流れを示すフローチャートである。
【０１０５】
通知部１９は、運転計画記憶部１５に記憶されている運転計画から、蓄電池２０および発電機２２の各々の運転開始時刻を読み取る（Ｓ２１）。
【０１０６】
通知部１９は、運転開始時刻まで設定時間以内になるまで待機する（Ｓ２２）。例えば、蓄電池２０の運転開始時刻が１４：３０であり、設定時間が３０分であれば、通知部１９は、１４：００になるまで待機する。
【０１０７】
運転開始時刻まで設定時間以内になった時点で（Ｓ２２でＹＥＳ）、通知部１９は、電力設備の運転開始までの時間と、運転計画記憶部１５に記憶されている運転目的とを通知する（Ｓ２３）。例えば、通知部１９は、１４：００に、蓄電池２０に対して運転開始までの時間「３０分」と、運転目的「ピークカット」とを通知する。
【０１０８】
運転開始までの時間と運転目的とを受信した蓄電池２０または発電機２２は、表示画面２８に受信した情報を表示する制御を行う。
【０１０９】
図６は、表示画面２８の表示例を示す図である。図６に示すように、表示画面２８には、運転目的３１と、運転開始までの時間を示す棒グラフ３２およびテキスト３３とが表示される。なお、表示画面２８に示すように、運転計画に基づいて、運転開始時刻３４と運転終了時刻３５とを表示するようにしてもよい。また、表示画面２８には、運転可能性レベル３６および棒グラフ３７が表示されるが、これらについては後述する。
【０１１０】
再度図５を参照して、通知部１９は、ステップＳ２３で通知を行った電力設備に対応した警報装置２４Ａまたは警報装置２４Ｂに対して、警報信号を送信する（Ｓ２４）。これにより、警報装置２４Ａまたは警報装置２４Ｂは、警報信号に応答して、警報を発する。例えば、ステップＳ２３で蓄電池２０に通知を行っている場合には、通知部１９は、警報装置２４Ａに対して、警報信号を送信する。
【０１１１】
通知部１９は、現在時刻が運転開始時刻になるまで（Ｓ２５）、ステップＳ２３およびＳ２４の処理を繰り返し実行する。これにより、図６に示した運転開始までの時間を示す棒グラフ３２およびテキスト３３とが、経時的に変化する。
【０１１２】
（３）運転計画変更通知機能
図７は、運転計画変更通知機能において、制御装置１０が実行する処理の流れを示すフローチャートである。
【０１１３】
運転計画作成部１４は、一定周期で運転計画を更新する。このため、運転計画作成部１４は、運転計画の更新タイミングになるまで待機し（Ｓ３１）、運転計画の更新タイミングとなった時点で（Ｓ３１でＹＥＳ）、運転計画を更新する（Ｓ３２）。なお、運転計画作成部１４は、更新後の運転計画を運転計画記憶部１５に記憶させる。
【０１１４】
通知部１９は、更新後の運転計画および運転目的と更新前の運転計画および運転目的とを比較し、電力設備の運転開始時刻または運転目的が変更されたか否かを判断する（Ｓ３３）。
【０１１５】
運転開始時刻または運転目的が変更されていれば（Ｓ３３でＹＥＳ）、通知部１９は、現在時刻から運転開始時刻までの時間が設定時間以内か否かを判断する（Ｓ３４）。
【０１１６】
設定時間以内ではないと判断した場合には（Ｓ３４でＮＯ）、通知部１９は、設定時間以内になるまで待機する。
【０１１７】
設定時間以内であると判断した場合には（Ｓ３４でＹＥＳ）、通知部１９は、運転計画記憶部１５に記憶された更新後の運転計画および運転目的を、蓄電池２０および発電機２２に通知する（Ｓ３５）。
【０１１８】
更新後の運転計画および運転目的を受信した蓄電池２０および発電機２２は、表示画面２８に受信した運転計画および運転目的を表示する制御を行う。
【０１１９】
図８は、表示画面２８の表示例を示す図である。図８に示すように、表示画面２８には、更新後の、運転目的と、各電力設備の運転計画とが表示される。
【０１２０】
図８に示すグラフは、図４に示すグラフと同様であるが、計画値が異なる。例えば、図４に示すグラフでは、１４：２０には発電機２２を運転していなかったが、図８に示すグラフでは、発電機２２を運転させている。
【０１２１】
また、図８の表示例では、「※運転計画が変更されました」とのメッセージが合わせて表示され、作業者に注意喚起を促している。
【０１２２】
再度図７を参照して、通知部１９は、警報装置２４Ａまたは警報装置２４Ｂに対して、警報信号を送信する（Ｓ３６）。これにより、警報装置２４Ａおよび警報装置２４Ｂは、警報信号に応答して、警報を発する。
【０１２３】
（４）運転可能性レベル通知機能
図９は、運転可能性レベル通知機能において、制御装置１０が実行する処理の流れを示すフローチャートである。
【０１２４】
運転可能性レベル決定部１８は、運転計画記憶部１５に記憶されている運転計画に従わずに電力設備が運転する可能性の度合いを示す運転可能性レベルを決定する（Ｓ４１）。つまり、運転可能性レベル決定部１８は、需要家の目標電力および受電電力に基づいて、電力設備の運転可能性レベルを決定する。ここで、需要家の目標電力は、予めユーザにより設定されているものとする。また、需要家の受電電力は実績値であり、運転計画作成部１４から取得する。運転可能性レベル決定部１８は、運転可能性レベルを、「高」、「中」、「低」の３段階で示す。ただし、運転可能性レベルの例はこれに限定されるものではない。
図１０は、運転可能性レベルの決定処理の一例について説明するための図である。
【０１２５】
例えば、需要家の目標電力が１０００ｋＷに設定されているものとする。また、３０分間の需要家の需要電力の最大変動量が５０ｋＷに設定されているものとする。需要電力の最大変動量は、予めユーザにより設定されていてもよいし、過去の需要電力の実績から統計的に算出されてもよい。この場合、運転可能性レベル決定部１８は、需要家の現在の受電電力が９５０ｋＷ以上であれば、運転可能性レベルを「高」と判断する。また、運転可能性レベル決定部１８は、需要家の現在の受電電力が９００ｋＷ以上かつ９５０ｋＷ未満であれば、運転可能性レベルを「中」と判断する。また、運転可能性レベル決定部１８は、需要家の現在の受電電力が９００ｋＷ未満であれば、運転可能性レベルを「低」と判断する。なお、運転可能性レベルの「高」および「中」を判断するための受電電力の範囲は、最大電力量と同じ値に設定する必要はなく、ユーザが任意に設定可能である。
【０１２６】
通知部１９は、運転可能性レベル決定部１８が決定した運転可能性レベルを、蓄電池２０および発電機２２に通知する（Ｓ４２）。
【０１２７】
運転可能性レベルの通知を受けた蓄電池２０および発電機２２は、それぞれ、表示画面２８に、運転可能性レベルを表示する制御を行う。
【０１２８】
つまり、図６に示したように、蓄電池２０および発電機２２は、表示画面２８に、運転可能性レベル３６と、運転可能性レベルを示す棒グラフ３７とを表示する。棒グラフ３７は、その長さで、運転可能性レベルの違いを示しており、運転可能性レベルが「高」の場合、棒グラフ３７の長さが最も長く、「低」の場合、棒グラフ３７の長さが最も短い。
【０１２９】
通知部１９は、運転可能性レベル決定部１８が決定した運転可能性レベルに応じた警報信号を、警報装置２４Ａおよび２４Ｂに送信する（Ｓ４３）。これにより、警報信号を受信した警報装置２４Ａおよび２４Ｂは、運転可能性レベルに応じた警報を発することができる。例えば、警報装置２４Ａおよび２４Ｂがシグナルタワーで構成されている場合には、警報装置２４Ａまたは２４Ｂは、運転可能レベルの「高」、「中」および「低」に応じた警報信号に応答して、「赤」、「黄」および「緑」のシグナルをそれぞれ点灯または点滅させる。
【０１３０】
［５．通知部１９の通知タイミング］
次に、以上説明した４つの機能における、通知部１９から各電力設備への、情報の通知タイミングについて説明する。
【０１３１】
図１１は、通知部１９から電力設備への情報の通知タイミングを説明するための図である。矢印の横軸は時間を示す。
【０１３２】
指定時刻になると、通知部１９は、運転計画通知機能において、運転計画と運転目的を、電力設備に通知する。
【０１３３】
また、電力設備の運転開始時刻から設定時間前になると、通知部１９は、運転事前通知機能において、運転開始までの時間と運転目的を、電力設備に通知する。
【０１３４】
また、運転開始時刻から設定時間以内に運転計画または運転目的が変更された場合には、通知部１９は、運転計画変更通知機能において、変更後の運転計画と運転目的を、電力設備に通知する。なお、運転開始時刻から設定時間よりも前に運転計画または運転目的が変更された場合には、運転開始時刻から設定時間前になった時点で、変更後の運転計画と運転目的の通知が行われる。
【０１３５】
なお、運転可能性レベル通知機能における、通知部１９から電力設備への運転可能性レベルの通知は、任意のタイミングにおいて行われる。このため、図１１には、そのタイミングを図示していない。
【０１３６】
［６．実施の形態の効果等］
以上説明したように、本発明の実施の形態によると、運転計画通知機能によって、電力設備の運転開始前に、電力設備の運転計画が、電力設備に通知される。このため、電力設備は、通知された運転計画を表示画面２８に表示させることができる。これにより、作業者は、どのようなタイミングで電力設備が運転開始するのかを事前に知ることができ、電力設備の運転時には電力設備から離れるなどの安全を確保するための措置を取ることができる。
【０１３７】
また、電力設備の運転開始前に、運転計画に加えて運転目的が、電力設備に通知される。このため、電力設備は、通知された運転目的を表示画面２８に表示させることができる。これにより、作業者は、電力設備の運転目的を知ることができ、制御装置１０が意図したとおりに電力設備が稼働しているか否かを知ることができる。制御装置１０の意図通りに電力設備が稼働していない場合には、作業者は電力設備を停止させたり、電力設備から離れるなどの措置を取ることができる。
【０１３８】
また、運転事前通知機能によって、運転計画に基づく電力設備の運転開始前に、電力設備の運転開始までの時間が、電力設備に通知される。このため、電力設備は、電力設備の運転開始までの時間を表示画面２８に表示させることができる。これにより、作業者は、電力設備の運転開始までに、現在行っている作業を中断し、電力設備から離れるなどの安全を確保するための措置を取ることができる。
【０１３９】
また、運転計画変更通知機能によって、電力設備の運転開始時刻または運転目的が変更された場合に、電力設備に対して、変更後の運転計画または運転目的が通知される。このため、電力設備は、変更後の運転計画または運転目的を表示画面２８に表示させることができる。これにより、作業者は、変更後の運転計画または運転目的を知ることができる。よって、作業者は、安全を確保するための措置を適切に取ることができる。
【０１４０】
また、所定の設定時間内に運転開始時刻が変更された場合には、通知部１９から警報装置２４Ａまたは２４Ｂに対して警報信号が送信される。このため、警報装置２４Ａまたは２４Ｂは、警報を発することができる。よって、電力設備の周囲にいる作業者は、電力設備から離れるなどの安全を確保するための措置を取ることができる。
【０１４１】
また、運転可能性レベル通知に機能によって、電力設備の運転可能性レベルが電力設備に通知される。このため、電力設備は、運転可能性レベルを表示画面２８に表示させることにより、作業者に電力設備の運転の可能性の度合いを伝えることができる。これにより、電力設備の周辺にいる作業者は、電力設備の運転の可能性の度合いを知ることができ、度合いに応じて安全を確保するための措置を取ることができる。例えば、運転可能性レベルが高中低の３段階で示されている場合に、運転可能性レベルが「低」であれば、作業者は特に何もしないが、運転可能性レベルが「中」であれば、作業者は電力設備から避難する準備を行う。また、運転可能性レベルが「高」であれば、作業者は、即座に、電力設備から避難する。
【０１４２】
［７．付記］
上記の制御装置１０は、具体的には、マイクロプロセッサ、ＲＯＭ、ＲＡＭ、ハードディスクドライブ、ディスプレイユニット、キーボード、マウスなどから構成されるコンピュータシステムとして構成されてもよい。ＲＡＭまたはハードディスクドライブには、コンピュータプログラムが記憶されている。マイクロプロセッサが、コンピュータプログラムに従って動作することにより、制御装置１０は、その機能を達成する。ここでコンピュータプログラムは、所定の機能を達成するために、コンピュータに対する指令を示す命令コードが複数個組み合わされて構成されたものである。
【０１４３】
また、図２に示した蓄電池２０および発電機２２の主要な構成もコンピュータシステムとして構成されていてもよい。
【０１４４】
さらに、上記の各装置を構成する構成要素の一部または全部は、１個のシステムＬＳＩから構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１４５】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１４６】
さらに、本発明は、上記コンピュータプログラムまたは上記デジタル信号をコンピュータ読取可能な非一時的な記録媒体、例えば、ハードディスクドライブ、ＣＤ−ＲＯＭ、半導体メモリなどに記録したものとしてもよい。
【０１４７】
また、上記コンピュータプログラムに含まれる各ステップは、複数のコンピュータにより実行されてもよい。
【０１４８】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【０１４９】
１      電力システム
１０    制御装置
１１    発電予測部
１２    需要予測部
１３    データ収集部
１４    運転計画作成部
１５    運転計画記憶部
１６、２５    運転制御部
１７    変更判断部
１８    運転可能性レベル決定部
１９    通知部
２０    蓄電池
２２    発電機
２４Ａ、２４Ｂ  警報装置
２６    取得部
２７    表示制御部
２８    表示画面
【図１】
2018014777.tif 000003
【図２】
2018014777.tif 000004
【図３】
2018014777.tif 000005
【図４】
2018014777.tif 000006
【図５】
2018014777.tif 000007
【図６】
2018014777.tif 000008
【図７】
2018014777.tif 000009
【図８】
2018014777.tif 000010
【図９】
2018014777.tif 000011
【図１０】
2018014777.tif 000012
【図１１】
2018014777.tif 000013